(57)【要約】【課題】ユーザーとの距離及びユーザーの周囲の音声環境を考慮して好適に報知音及び通信回線モニター音の音量を調整することが可能な画像形成システムを提供する。【解決手段】画像形成システムＳ１は携帯端末１０１及び画像形成装置１を含む。携帯端末１０１は音声入力部１２５を有する。画像形成装置１は画像形成を実行するとともに複数の携帯端末１０１との無線通信が可能であって音声入力部１２５を介して携帯端末１０１の周囲の音声情報を取得する。画像形成装置１の音声出力部２５は外部に向けて報知音及び通信回線モニター音を発する。画像形成装置１は携帯端末１０１との無線通信の電波強度から携帯端末１０１との距離を導出し、携帯端末１０１との距離と携帯端末１０１から取得した携帯端末１０１の周囲の音声情報とに基づき報知音及び通信回線モニター音の音量を調整する。【選択図】図２
2019036863.tif 000002
【特許請求の範囲】
【請求項１】
音声入力部を有する携帯端末と、
画像形成を実行するとともに複数の前記携帯端末との無線通信が可能であって前記音声入力部を介して前記携帯端末の周囲の音声情報を取得する画像形成装置と、
を含み、
前記画像形成装置が、
前記携帯端末との間で無線通信を行い、前記携帯端末に対して前記音声入力部を起動させて前記音声情報を取得する通信部と、
外部に向けて報知音及び通信回線モニター音を発する音声出力部と、
を備え、
前記携帯端末との無線通信の電波強度から前記携帯端末との距離を導出し、前記携帯端末との距離と前記携帯端末から取得した前記音声情報とに基づき前記報知音及び前記通信回線モニター音の音量を調整することを特徴とする画像形成システム。
【請求項２】
前記画像形成装置が、前記報知音を発する場合に、最短距離の前記携帯端末に対応して前記報知音の音量を調整することを特徴とする請求項１に記載の画像形成システム。
【請求項３】
前記画像形成装置が、最短距離の前記携帯端末との距離を判定し、距離が近いほど前記報知音の音量を小さくし、距離が遠いほど前記報知音の音量を大きくすることを特徴とする請求項２に記載の画像形成システム。
【請求項４】
前記画像形成装置が、最短距離の前記携帯端末から取得した前記音声情報に基づき、前記携帯端末の周囲の雑音レベルを判定し、判定した前記雑音レベルが小さいほど前記報知音の音量を小さくし、判定した前記雑音レベルが大きいほど前記報知音の音量を大きくすることを特徴とする請求項２または請求項３に記載の画像形成システム。
【請求項５】
前記画像形成装置が、順次近くに位置する他の携帯端末を検知し、検知した当該携帯端末に対応して前記報知音の音量を調整することを特徴とする請求項２〜請求項４のいずれかに記載の画像形成システム。
【請求項６】
前記画像形成装置が、前記通信回線モニター音を発する場合に、自身の面前に位置する前記携帯端末に対応して前記通信回線モニター音の音量を調整することを特徴とする請求項１〜請求項５のいずれかに記載の画像形成システム。
【請求項７】
前記画像形成装置が、複数の前記携帯端末各々に係る個別の初期情報として、前記携帯端末を特定するための固有情報と、前記携帯端末の使用環境に対応させて前記携帯端末との距離を導出するための補正係数と、を記憶することを特徴とする請求項１〜請求項６のいずれかに記載の画像形成システム。
【請求項８】
前記画像形成装置が、複数の前記携帯端末各々に係る個別の初期情報として、前記携帯端末を特定するための固有情報と、予め計測した複数の２点間における前記電波強度に対応させて前記携帯端末との距離を導出するための補正係数と、を記憶することを特徴とする請求項１〜請求項６のいずれかに記載の画像形成システム。
【請求項９】
画像形成を実行する画像形成装置において、
音声入力部を有する複数の携帯端末との間で無線通信を行い、前記携帯端末に対して前記音声入力部を起動させて前記音声入力部を介して前記携帯端末の周囲の音声情報を取得する通信部と、
外部に向けて報知音及び通信回線モニター音を発する音声出力部と、
前記携帯端末との無線通信の電波強度から前記携帯端末との距離を導出し、前記携帯端末との距離と前記携帯端末から取得した前記音声情報とに基づき前記報知音及び前記通信回線モニター音の音量を調整する制御部と、
を備えることを特徴とする画像形成装置。
【請求項１０】
携帯端末と、
複数の前記携帯端末との無線通信が可能な画像形成装置と、
前記携帯端末及び前記画像形成装置との通信が可能であるとともに前記画像形成装置に対して画像形成ジョブの送信が可能な外部機器と、
を含み、
前記画像形成装置が、
画像形成を実行する画像形成部と、
前記携帯端末との間で無線通信を行い、さらに前記外部機器との間で通信を行って前記画像形成ジョブを受信する通信部と、
前記携帯端末と前記外部機器との対応情報を記憶する記憶部と、
を備え、
前記外部機器から受信した前記画像形成ジョブに係る情報に画像形成を規制するための認証番号が含まれる場合に、前記画像形成ジョブに係る画像形成を一時休止し、前記携帯端末との無線通信の電波強度から導出した前記携帯端末との距離が予め定めた所定距離以下に近づき、且つ当該携帯端末が前記認証番号を所持するときに、前記画像形成ジョブに係る画像形成を実行することを特徴とする画像形成システム。
【請求項１１】
前記外部機器は、前記画像形成装置に対して前記認証番号を含む前記画像形成ジョブを送信するときに、前記携帯端末に対して前記認証番号を送信して記憶させることを特徴とする請求項１０に記載の画像形成システム。
【請求項１２】
前記認証番号が、前記携帯端末を特定するための固有情報であることを特徴とする請求項１０または請求項１１に記載の画像形成システム。
【請求項１３】
前記画像形成装置が、複数の前記携帯端末各々に係る個別の初期情報として、前記携帯端末を特定するための固有情報と、前記所定距離において予め計測した前記携帯端末との無線通信の電波強度と、を記憶することを特徴とする請求項１０〜請求項１２のいずれかに記載の画像形成システム。
【請求項１４】
画像形成を実行する画像形成部と、
複数の携帯端末との間で無線通信を行い、さらに外部機器との間で通信を行って画像形成ジョブを受信する通信部と、
前記携帯端末と前記外部機器との対応情報を記憶する記憶部と、
前記外部機器から受信した前記画像形成ジョブに係る情報に画像形成を規制するための認証番号が含まれる場合に、前記画像形成ジョブに係る画像形成を一時休止し、前記携帯端末との無線通信の電波強度から導出した前記携帯端末との距離が予め定めた所定距離以下に近づき、且つ当該携帯端末が前記認証番号を所持するときに、前記画像形成ジョブに係る画像形成を前記画像形成部に実行させる制御部と、
を備えることを特徴とする画像形成装置。
【発明の詳細な説明】
【技術分野】
【０００１】
本発明は、画像形成システム及び画像形成装置に関する。
【背景技術】
【０００２】
昨今、複写機、プリンタなどの画像形成装置に関して、スマートフォンやタブレット端末等の携帯端末からデータや指令を受けて、画像形成等を実行する画像形成システムに係る技術が注目されている。例えば、特許文献１には、携帯端末からの要求を受信し、サーバ装置に記憶された印刷情報を取得して印刷する画像形成装置が開示されている。この従来技術によれば、携帯端末のユーザーが選択する画像形成装置から自在に印刷を実行することができる。
【０００３】
一方、画像形成装置には、外部に向けて報知音や通信回線モニター音を発することが可能な機種が存在する。例えば、特許文献２には、画像形成ジョブの最後のシートの排出が完了して所定時間後にシート取り忘れ警告音を発生させる画像形成装置が開示されている。さらに、この画像形成装置は、排出シート無しを検知するまで警告音の音量を増加させる。この従来技術によれば、ユーザーが排出シートをすぐに取りに行くことができる。
【先行技術文献】
【特許文献】
【０００４】
【特許文献１】特開２００８−３３４１５号公報
【特許文献２】特開２００６−２１５１８７号公報
【発明の概要】
【発明が解決しようとする課題】
【０００５】
しかしながら、特許文献２に記載の従来技術はユーザーとの距離やユーザーの周囲の音声環境が考慮されていないことが課題であった。これにより、例えば画像形成装置から遠くに位置するユーザーのために報知音の音量を比較的大きめに設定した場合、画像形成装置のすぐ近くに位置するユーザーにとってその報知音の音量は大き過ぎ、不快感を抱く虞があった。また、例えば画像形成装置のすぐそばで聞く通信回線モニター音の音量は一般的に比較的小さめであれば良いが、その周囲の雑音が大きい場合には聞こえ難いことがあった。特許文献１に記載の携帯端末を利用した従来技術においても、ユーザーとの距離やユーザーの周囲の音声環境に係る情報を取得することについて考慮されていない。
【０００６】
本発明は、上記の点に鑑みなされたものであり、ユーザーとの距離及びユーザーの周囲の音声環境を考慮して好適に報知音及び通信回線モニター音の音量を調整することが可能な画像形成システム及び画像形成装置を提供することを目的とする。
【課題を解決するための手段】
【０００７】
上記の課題を解決するため、本発明の画像形成システムは携帯端末及び画像形成装置を含む。前記携帯端末は音声入力部を有する。前記画像形成装置は画像形成を実行するとともに複数の前記携帯端末との無線通信が可能であって前記音声入力部を介して前記携帯端末の周囲の音声情報を取得する。前記画像形成装置は通信部及び音声出力部を備える。前記通信部は前記携帯端末との間で無線通信を行い、前記携帯端末に対して前記音声入力部を起動させて前記音声情報を取得する。前記音声出力部は外部に向けて報知音及び通信回線モニター音を発する。さらに、前記画像形成装置は前記携帯端末との無線通信の電波強度から前記携帯端末との距離を導出し、前記携帯端末との距離と前記携帯端末から取得した前記音声情報とに基づき前記報知音及び前記通信回線モニター音の音量を調整する。
【０００８】
また、上記の課題を解決するため、本発明は、画像形成を実行する画像形成装置が通信部、音声出力部及び制御部を備える。前記通信部は音声入力部を有する複数の携帯端末との間で無線通信を行い、前記携帯端末に対して前記音声入力部を起動させて前記音声入力部を介して前記携帯端末の周囲の音声情報を取得する。前記音声出力部は外部に向けて報知音及び通信回線モニター音を発する。前記制御部は前記携帯端末との無線通信の電波強度から前記携帯端末との距離を導出し、前記携帯端末との距離と前記携帯端末から取得した前記音声情報とに基づき前記報知音及び前記通信回線モニター音の音量を調整する。
【発明の効果】
【０００９】
本発明の構成によれば、画像形成装置は携帯端末との無線通信の電波強度から携帯端末との距離、すなわちユーザーとの距離を把握することができる。さらに、画像形成装置は携帯端末から取得した音声情報から携帯端末の周囲、すなわちユーザーの周囲の騒音等の音声環境を把握することができる。したがって、ユーザーとの距離及びユーザーの周囲の音声環境を考慮して好適に報知音及び通信回線モニター音の音量を調整することが可能になる。
【図面の簡単な説明】
【００１０】
【図１】本発明の第１実施形態の画像形成システムの構成を示すブロック図である。
【図２】本発明の第１実施形態の画像形成システムの呼び出し音調整処理の例を示すフローチャートである。
【図３】本発明の第１実施形態の画像形成システムのモニター音調整処理の例を示すフローチャートである。
【図４】本発明の第２実施形態の画像形成システムの画像形成装置の構成の一部を示すブロック図である。
【図５】本発明の第３実施形態の画像形成システムの構成を示すブロック図である。
【図６】本発明の第３実施形態の画像形成システムのプライベート画像形成処理の例を示すフローチャートである。
【図７】本発明の第４実施形態の画像形成システムのプライベート画像形成処理の例を示す説明図である。
【図８】本発明の第５実施形態の画像形成システムの画像形成装置の構成の一部を示すブロック図である。
【発明を実施するための形態】
【００１１】
以下、本発明の実施形態を図に基づき説明する。なお、本発明は以下の内容に限定されるものではない。
【００１２】
＜第１実施形態＞
最初に、本発明の第１実施形態の画像形成システムについて、図１を用いてその構成を説明する。図１は画像形成システムの構成を示すブロック図である。
【００１３】
画像形成システムＳ１は、図１に示す画像形成装置１及び携帯端末１０１を備える。画像形成装置１は、例えばコピー（画像形成）、スキャン（画像読取）、ファクシミリ送受信等の複数の機能を備えた所謂複合機である。携帯端末１０１は、例えばスマートフォン、タブレット端末である。携帯端末１０１は画像形成装置１を使用する複数のユーザー各々が個別に所有する。
【００１４】
画像形成装置１は、図１に示す制御部２０及び記憶部２３を備える。制御部２０はＣＰＵ２１、画像処理部２２、その他の不図示の電子回路や電子部品を含む。ＣＰＵ２１は記憶部２３に記憶された制御用のプログラムやデータに基づき、画像形成装置１に設けられた各構成要素の動作を制御して画像形成装置１の機能に係る処理を実行する。画像処理部２２は画像形成や画像読取、送信に用いる画像データに対して画像処理を行う。
【００１５】
記憶部２３は、例えば不図示のプログラムＲＯＭ、データＲＯＭなどといった不揮発性の記憶装置と、ＲＡＭのような揮発性の記憶装置との組み合わせから成る。そして、記憶部２３は携帯端末情報２３ｍを記憶する。携帯端末情報２３ｍは画像形成装置１を使用する複数のユーザー各々が所有する携帯端末１０１を特定するための固有情報２３ｓを含む。この携帯端末１０１の固有情報２３ｓとしては、例えばＳＳＩＤ（Service Set Identifier）、ＭＡＣアドレス（Media Access Control address）、電話番号などが相当する。
【００１６】
画像形成装置１の上部には原稿搬送部３及び画像読取部４が設けられる。例えば、ユーザーが画像形成装置１にコピージョブ、スキャンジョブを実行させる場合、文字や図形、模様などの画像が描かれた原稿を原稿搬送部３に積載する。制御部２０は原稿搬送部３及び画像読取部４に動作指示を与え、原稿に描かれた画像を読み取らせる。画像読取部４が読み取った原画像の画像データは記憶部２３等に一時的に記憶される。
【００１７】
画像形成装置１の上部であって画像読取部４の正面側には入力部である操作パネル５が設けられる。操作パネル５は表示部５ｗを含む。操作パネル５はユーザーが画像形成装置１にコピー（画像形成）ジョブ、スキャン（画像読取）ジョブ、ファクシミリ送信ジョブを実行させる指令等を受け付ける。操作パネル５は、例えば画像形成に使用する用紙の種類やサイズ、拡大縮小、両面画像形成の有無といった画像形成条件などの設定を受け付けたり、ファクシミリ送信におけるファックス番号や送信者名などの設定の入力を受け付けたりする。さらに、操作パネル５は、例えば装置の状態や注意事項、エラーメッセージなどを表示部５ｗに表示することによって、それらをユーザーに対して報知するための報知部としての役割も果たす。操作パネル５が受け付けた入力情報は制御部２０に送信される。
【００１８】
画像形成装置１は画像読取部４より下方の部分に画像形成ジョブを実行するための給紙部７、用紙搬送部８、画像形成部９、転写部１０及び定着部１１を含む。給紙部７は複数枚の用紙を収容し、画像形成時に用紙を送り出す。用紙搬送部８は給紙部７から送り出された用紙を搬送し、定着後の用紙を装置の外部に排出する。画像形成部９は画像データに基づき照射が制御されたレーザ光によって原稿画像の静電潜像を形成し、この静電潜像にトナーを付着させて現像してトナー像である画像を形成する。転写部１０は画像形成部９で形成したトナー像の画像を用紙に転写する。定着部１１は画像が転写された用紙を加熱、加圧して画像を用紙に定着させる。このような画像形成動作を制御部２０が制御する。
【００１９】
画像形成装置１は通信部２４を備える。通信部２４は外部機器である通信装置やコンピューター等との間で、また携帯端末１０１との間でファクシミリ送受信やデータ送受信等といった通信を行う。例えば、通信部２４は携帯端末１０１との間で無線ＬＡＮ（Local Area Network）を利用した無線通信を行う。無線ＬＡＮの規格としては、例えばＷｉ−Ｆｉ（登録商標）が用いられる。
【００２０】
通信部２４は不図示のファクシミリ通信部及びネットワーク通信部を備える。ファクシミリ通信部は電話回線が接続されて、電話回線を利用して外部の通信装置と画像データなどの授受を行う。ネットワーク通信部はネットワーク回線が接続されて、ネットワーク回線を利用して携帯端末１０１や外部のコンピューター等と画像データなどの授受を行う。制御部２０が通信部２４に、携帯端末１０１や外部機器等に対するデータの送受信を実行させる。
【００２１】
画像形成装置１は音声出力部２５を備える。音声出力部２５は例えばスピーカで構成され、操作パネル５の周辺に設けられる。音声出力部２５は外部に向けて報知音及び通信回線モニター音を発する。報知音にはファクシミリ通信を受信したときの呼び出し音（コール音等）が含まれる。通信回線モニター音は通信回線上の音声（先方からの案内音等）が該当する。
【００２２】
携帯端末１０１は、図１に示す制御部１２０及び記憶部１２３を備える。制御部１２０は不図示のＣＰＵ、その他の電子回路や電子部品を含む。制御部１２０は記憶部１２３に記憶された制御用のプログラムやデータに基づき、携帯端末１０１に設けられた各構成要素の動作を制御して携帯端末１０１の機能に係る処理を実行する。
【００２３】
また、携帯端末１０１は不図示の入力キー及び表示部を備える。入力キーは文字や数値などの入力、メニューやその他選択肢の選択、処理の実行、キャンセルなどの入力をユーザーが行うためのものである。表示部は例えば液晶ディスプレイなどで構成される。
【００２４】
携帯端末１０１は通信部１２４を備える。通信部１２４は他の端末との間で通話を行ったり、画像形成装置１を含む外部機器との間で互いにデータや指令の送受信を行ったりする。通信部１２４は携帯電話回線網を利用して音声データやパケットを送受信する。さらに、通信部１２４は例えば画像形成装置１との間でＷｉ−Ｆｉを利用した無線ＬＡＮによって無線通信を行う。制御部１２０が通信部１２４に、画像形成装置１や外部機器等に対するデータの送受信を実行させる。
【００２５】
携帯端末１０１は音声入力部１２５を備える。音声入力部１２５は例えばマイクロフォンで構成される。音声入力部１２５はユーザーが発する音声を含む、携帯端末１０１の周囲の音声情報を取得する。
【００２６】
そして、画像形成装置１は音声出力部２５から報知音或いは通信回線モニター音を発するにあたって、通信部２４を介して携帯端末１０１に対して音声入力部１２５を起動させる。そして、画像形成装置１は音声入力部１２５を介して携帯端末１０１の周囲の音声情報を取得する。
【００２７】
また、画像形成装置１は携帯端末１０１との無線通信の電波強度から携帯端末１０１との距離を導出する。無線通信の電波強度はＷｉ−Ｆｉの受信信号強度（ＲＳＳＩ：Received Signal Strength Indication）から得ることができる。例えば、画像形成装置１はＷｉ−Ｆｉの受信信号強度と、携帯端末１０１との距離との関係を表すテーブルを予め記憶部２３等に記憶し、このテーブルを参照することで、Ｗｉ−Ｆｉの受信信号強度の強弱から携帯端末１０１との距離を導出することができる。
【００２８】
さらに、画像形成装置１は携帯端末１０１との距離と、携帯端末１０１から取得した携帯端末１０１の周囲の音声情報とに基づき、自身が発する報知音及び通信回線モニター音の音量を調整する。
【００２９】
例えば、画像形成装置１は報知音を発する場合に、最短距離の携帯端末１０１に対応して報知音の音量を調整する。そして、画像形成装置１は最短距離の携帯端末１０１との距離を判定し、距離が近いほど報知音の音量を小さくし、距離が遠いほど報知音の音量を大きくする。すなわち、画像形成装置１は携帯端末１０１を近距離で検知すれば、報知音の音量を比較的小さめに調整する。一方、画像形成装置１は携帯端末１０１を遠距離で検知すれば、報知音の音量を比較的大きめに調整する。
【００３０】
そして、画像形成装置１は最短距離の携帯端末１０１から取得した音声情報に基づき、携帯端末１０１の周囲の雑音レベルを判定し、判定した雑音レベルが小さいほど報知音の音量を小さくし、判定した雑音レベルが大きいほど報知音の音量を大きくする。すなわち、画像形成装置１は近距離で携帯端末１０１を検知した場合であっても、携帯端末１０１の周囲の雑音レベルが大きい場合は報知音の音量を比較的大きめに調整する。一方、画像形成装置１は遠距離で携帯端末１０１を検知した場合に、携帯端末１０１の周囲の雑音レベルが小さい場合は報知音の音量を比較的小さめに調整することができる。
【００３１】
また例えば、画像形成装置１は通信回線モニター音を発する場合に、自身の面前に位置する携帯端末１０１に対応して通信回線モニター音の音量を調整する。すなわち、通信回線モニター音を発する場合も同様に、画像形成装置１は携帯端末１０１との距離と、携帯端末１０１から取得した携帯端末１０１の周囲の音声情報とに基づき音量を調整する。
【００３２】
続いて、画像形成システムＳ１による呼び出し音調整処理の一例について、図２に示すフローに沿って説明する。図２は画像形成システムＳ１の呼び出し音調整処理の例を示すフローチャートである。
【００３３】
画像形成システムＳ１の稼働中において（図２のスタート）、画像形成装置１は例えばファクシミリを受信することがある（ステップ＃１０１）。
【００３４】
そして、ステップ＃１０２では、画像形成装置１の制御部２０がＷｉ−Ｆｉの受信信号強度から最短距離の携帯端末１０１を検知する。このとき、制御部２０は記憶部２３が予め記憶するＷｉ−Ｆｉの受信信号強度と、携帯端末１０１との距離との関係を表すテーブルを参照する。
【００３５】
ステップ＃１０３では、制御部２０が通信部２４を介して、ステップ＃１０２で検知した携帯端末１０１から携帯端末１０１の周囲の音声情報を取得する。このとき、携帯端末１０１では、音声入力部１２５を利用して携帯端末１０１の周囲の音声情報を取得するためのアプリケーションが起動される。画像形成装置１の制御部２０はこのアプリケーションを介して携帯端末１０１の周囲の音声情報を取得する。
【００３６】
ステップ＃１０４では、制御部２０がＷｉ−Ｆｉの受信信号強度から携帯端末１０１との距離を導出する。このとき、制御部２０は記憶部２３が予め記憶するＷｉ−Ｆｉの受信信号強度と、携帯端末１０１との距離との関係を表すテーブルを参照する。なお、ステップ＃１０２で最短距離の携帯端末１０１を検知したときに、携帯端末１０１との距離を導出しておいても良い。
【００３７】
ステップ＃１０５では、制御部２０が携帯端末１０１との距離と、携帯端末１０１から取得した携帯端末１０１の周囲の音声情報とに基づき、ファクシミリの呼び出し音（報知音）の音量を調整する。
【００３８】
ステップ＃１０６では、音声出力部２５が外部に向けてファクシミリの呼び出し音を発し、ファクシミリを受信したことを報知する。ファクシミリの呼び出し音はステップ＃１０５で調整した音量である。
【００３９】
ステップ＃１０７では、制御部２０が計時を開始する。制御部２０はファクシミリの呼び出し音の報知期間を監視する。
【００４０】
ステップ＃１０８では、制御部２０がステップ＃１０２で検知した携帯端末１０１との距離が短くなったか否かを判定する。制御部２０は逐次、Ｗｉ−Ｆｉの受信信号強度から携帯端末１０１との距離を導出し、確認する。携帯端末１０１との距離が短くなった場合はステップ＃１０９に移行する。一方、携帯端末１０１との距離が短くならない場合はステップ＃１１０に移行する。
【００４１】
ステップ＃１０９では、制御部２０がファクシミリの呼び出し音の音量を維持し、音声出力部２５を用いたファクシミリ受信の報知を継続する。そして、制御部２０は画像形成システムＳ１の呼び出し音調整処理を終了する（図２のエンド）。
【００４２】
ステップ＃１１０では、制御部２０がファクシミリの呼び出し音の報知期間が予め定めた所定期間を経過したか否かを判定する。呼び出し音の報知期間が所定期間を経過していない場合は、ステップ＃１０８に戻って携帯端末１０１との距離が短くなったか否かの判定を継続する。呼び出し音の報知期間が所定期間を経過した場合はステップ＃１１１に移行する。
【００４３】
ステップ＃１１１では、制御部２０がＷｉ−Ｆｉの受信信号強度から、次に近い他の携帯端末１０１を検知する。
【００４４】
ステップ＃１１２では、制御部２０が次に近い他の携帯端末１０１が存在するか否かを判定する。次に近い他の携帯端末１０１が存在しない場合は、ステップ＃１０９に移行してファクシミリの呼び出し音の音量が維持される。一方、次に近い他の携帯端末１０１が存在する場合はステップ＃１０３に戻り、画像形成装置１は次に近い他の携帯端末１０１に対応したファクシミリの呼び出し音の音量に調整して所定期間、呼び出し音を発して報知する。すなわち、画像形成装置１は順次近くに位置する携帯端末１０１を検知し、検知した当該携帯端末１０１に対応してファクシミリの呼び出し音の音量を調整して所定期間、呼び出し音を発する。
【００４５】
続いて、画像形成システムＳ１によるモニター音調整処理の一例について、図３に示すフローに沿って説明する。図３は画像形成システムＳ１のモニター音調整処理の例を示すフローチャートである。
【００４６】
画像形成システムＳ１の稼働中において（図３のスタート）、画像形成装置１は例えば操作パネルからファクシミリの送信操作を受け付けることがある（ステップ＃２０１）。
【００４７】
そして、ステップ＃２０２では、画像形成装置１の制御部２０がＷｉ−Ｆｉの受信信号強度から画像形成装置１の面前の携帯端末１０１を検知する。このとき、制御部２０は記憶部２３が予め記憶するＷｉ−Ｆｉの受信信号強度と、携帯端末１０１との距離との関係を表すテーブルを参照する。なお、画像形成装置１の面前とは、例えば画像形成装置１の正面側１ｍ程度の範囲である。
【００４８】
ステップ＃２０３では、制御部２０が通信部２４を介して、ステップ＃２０２で検知した携帯端末１０１から携帯端末１０１の周囲の音声情報を取得する。このとき、携帯端末１０１では音声入力部１２５を利用して携帯端末１０１の周囲の音声情報を取得するためのアプリケーションが起動される。画像形成装置１の制御部２０はこのアプリケーションを介して携帯端末１０１の周囲の音声情報を取得する。
【００４９】
ステップ＃２０４では、制御部２０が携帯端末１０１から取得した携帯端末１０１の周囲の音声情報に基づき、ファクシミリの送信に係る通信回線モニター音の音量を調整する。そして、制御部２０は画像形成システムＳ１のモニター音調整処理を終了する（図３のエンド）。
【００５０】
上記第１実施形態のように、画像形成システムＳ１は携帯端末１０１及び画像形成装置１を含む。携帯端末１０１は音声入力部１２５を有する。画像形成装置１は画像形成を実行するとともに複数の携帯端末１０１との無線通信が可能であって音声入力部１２５を介して携帯端末１０１の周囲の音声情報を取得する。画像形成装置１は通信部２４及び音声出力部２５を備える。通信部２４は携帯端末１０１との間で無線通信を行い、携帯端末１０１に対して音声入力部１２５を起動させて音声情報を取得する。音声出力部２５は外部に向けて報知音及び通信回線モニター音を発する。さらに、画像形成装置１は携帯端末１０１との無線通信の電波強度から携帯端末１０１との距離を導出し、携帯端末１０１との距離と携帯端末１０１から取得した携帯端末１０１の周囲の音声情報とに基づき報知音及び通信回線モニター音の音量を調整する。
【００５１】
この構成によると、画像形成装置１は携帯端末１０１との無線通信の電波強度から携帯端末１０１との距離、すなわちユーザーとの距離を把握することができる。さらに、画像形成装置１は携帯端末１０１から取得した音声情報から携帯端末の周囲、すなわちユーザーの周囲の騒音等の音声環境を把握することができる。したがって、ユーザーとの距離及びユーザーの周囲の音声環境を考慮して好適に報知音及び通信回線モニター音の音量を調整することが可能になる。
【００５２】
また、画像形成装置１は、報知音を発する場合に、最短距離の携帯端末１０１に対応して報知音の音量を調整する。
【００５３】
この構成によると、報知音の音量をできるだけ小さくすることができる。したがって、画像形成装置１のすぐ近くに位置するユーザーが不快感を抱くことを抑制することが可能になる。
【００５４】
また、画像形成装置１は、最短距離の前記携帯端末との距離を判定し、距離が近いほど前記報知音の音量を小さくし、距離が遠いほど前記報知音の音量を大きくする。
【００５５】
この構成によると、ユーザーとの距離を考慮して好適に報知音の音量を調整することが可能になる。
【００５６】
また、画像形成装置１は、最短距離の前記携帯端末から取得した前記音声情報に基づき、前記携帯端末の周囲の雑音レベルを判定し、判定した前記雑音レベルが小さいほど前記報知音の音量を小さくし、判定した前記雑音レベルが大きいほど前記報知音の音量を大きくする。
【００５７】
この構成によると、ユーザーの周囲の雑音（音声環境）を考慮して好適に報知音の音量を調整することが可能になる。
【００５８】
また、画像形成装置１は、順次近くに位置する他の携帯端末１０１を検知し、検知した当該携帯端末１０１に対応して報知音の音量を調整する。
【００５９】
この構成によると、例えばあるユーザーが携帯端末１０１を放置したまま離席している場合に、画像形成装置１に対して次に近い他のユーザーの周囲の音声環境に対応して報知音の音量を調整することができる。したがって、携帯端末１０１を放置した不在のユーザーに対応して順次報知音の音量を調整し、他のユーザーが報知音に気が付くようにすることが可能になる。
【００６０】
また、画像形成装置１は、通信回線モニター音を発する場合に、自身の面前に位置する携帯端末１０１に対応して通信回線モニター音の音量を調整する。
【００６１】
この構成によると、画像形成装置１の周囲の音声環境を考慮して通信回線モニター音の音量を調整することができる。したがって、画像形成装置１の面前で操作するユーザーに通信回線モニター音が届くようにすることができ、且つ画像形成装置１のすぐ近くに位置する他のユーザーが不快感を抱くことを抑制することが可能になる。
【００６２】
＜第２実施形態＞
次に、本発明の第２実施形態の画像形成システムについて、図４を用いて説明する。図４は画像形成システムの画像形成装置の構成の一部を示すブロック図である。なお、この実施形態の基本的な構成は先に説明した第１実施形態と同じであるので、第１実施形態と共通する構成要素には前と同じ符号または同じ名称を付してその説明を省略する場合がある。
【００６３】
第２実施形態の画像形成システムＳ１は、画像形成装置１の記憶部２３が図４に示す携帯端末情報２３ｍを記憶する。携帯端末情報２３ｍは複数の携帯端末１０１各々に係る個別の初期情報として、固有情報２３ｓ及び距離補正係数２３ｃを含む。
【００６４】
固有情報２３ｓは画像形成装置１を使用する複数のユーザー各々が所有する携帯端末１０１を特定するための情報である。固有情報２３ｓは、例えばＳＳＩＤ、ＭＡＣアドレス、電話番号などが相当する。
【００６５】
距離補正係数２３ｃは、例えば携帯端末１０１の使用環境に対応させて、画像形成装置１と携帯端末１０１との距離を導出するための補正係数である。この場合の距離補正係数２３ｃは、例えば画像形成システムＳ１が使用される部屋（エリア）の広さ、構造物が木造か鉄筋コンクリートか、画像形成装置１とユーザーの自席との間に壁やパーティションがあるかどうか、などといった情報に基づき導出される。これらの情報は、操作パネル５を介してユーザーに初期設定として入力してもらうことにしても良い。
【００６６】
また例えば、距離補正係数２３ｃは予め計測した複数の２点間における電波強度に対応させて、画像形成装置１と携帯端末１０１との距離を導出するための補正係数である。この場合の距離補正係数２３ｃは、例えば画像形成システムＳ１が使用される部屋（エリア）で距離１ｍの２点間、距離１０ｍの２点間等における電波強度を予め計測し、電波の減衰率に基づき導出される。
【００６７】
そして、例えば単位距離（例えば１ｍ）における電波強度をＡとし、画像形成装置１が受信した電波強度をＢとし、距離補正係数２３ｃをｋとして、画像形成装置１と携帯端末１０１との距離Ｌは下記式（１）で導出される。
式（１）    Ｌ＝ｋ×（Ａ／Ｂ）１／２
【００６８】
上記第２実施形態の構成によれば、画像形成システムＳ１の使用環境に対応した画像形成装置１と携帯端末１０１との距離を導出することができる。したがって、画像形成装置１の設置場所やユーザーの座席などに対応させて、好適に報知音及び通信回線モニター音の音量を調整することが可能になる。
【００６９】
＜第３実施形態＞
次に、本発明の第３実施形態の画像形成システムについて、図５を用いてその構成を説明する。図５は画像形成システムの構成を示すブロック図である。
【００７０】
複写機、プリンタなどの画像形成装置に関して、遠隔のコンピューターから画像形成ジョブを実行させる際に、例えばプライベート画像形成と称される画像形成を実行する画像形成システムに係る技術がある。プライベート画像形成では、画像形成装置に対して遠隔のコンピューターから画像形成ジョブを送信した後、ユーザーが画像形成装置の操作パネルから認証番号を入力して画像形成を開始させるまで、画像形成ジョブが一時休止されて画像形成が実行されない。これにより、例えば秘匿性の高い情報等に係る画像が形成された用紙が他人の目に入ることを防止することができる。
【００７１】
しかしながら、プライベート画像形成では、画像形成装置の操作パネルから認証番号を入力することに手間がかかり、さらに認証番号を忘れてしまうことに課題があった。このようなプライベート画像形成に係る技術やそれに伴う課題に関して、先に説明した特許文献に記載の従来技術では考慮されていない。
【００７２】
第３実施形態として説明する本発明は、上記の点に鑑みなされたものであり、画像が形成された用紙が他人の目に入ることを防止するプライベート画像形成の操作性を向上させることが可能な画像形成システム及び画像形成装置を提供することを目的とする。
【００７３】
画像形成システムＳ２は、図５に示す画像形成装置１、携帯端末１０１及び外部機器２０１を備える。画像形成装置１は、例えばコピー（画像形成）、スキャン（画像読取）、ファクシミリ送受信等の複数の機能を備えた所謂複合機である。携帯端末１０１は、例えばスマートフォン、タブレット端末であって、画像形成装置１を使用する複数のユーザー各々が個別に所有する。外部機器２０１は、例えば画像形成装置１に対して遠隔に設置されたコンピューターであって、画像形成装置１を使用する複数のユーザー各々が個別に所有する。
【００７４】
画像形成装置１は、図５に示す制御部２０及び記憶部２３を備える。制御部２０はＣＰＵ２１、画像処理部２２、その他の不図示の電子回路や電子部品を含む。ＣＰＵ２１は記憶部２３に記憶された制御用のプログラムやデータに基づき、画像形成装置１に設けられた各構成要素の動作を制御して画像形成装置１の機能に係る処理を実行する。画像処理部２２は画像形成や画像読取、送信に用いる画像データに対して画像処理を行う。
【００７５】
記憶部２３は、例えば不図示のプログラムＲＯＭ、データＲＯＭなどといった不揮発性の記憶装置と、ＲＡＭのような揮発性の記憶装置との組み合わせから成る。そして、記憶部２３は携帯端末情報２３ｍを記憶する。携帯端末情報２３ｍは画像形成装置１を使用する複数のユーザー各々が所有する携帯端末１０１を特定するための固有情報２３ｓを含む。この携帯端末１０１の固有情報２３ｓとしては、例えばＳＳＩＤ（Service Set Identifier）、ＭＡＣアドレス（Media Access Control address）、電話番号などが相当する。さらに、携帯端末情報２３ｍには、ユーザーが使用する携帯端末１０１と外部機器２０１とを対応付けた、携帯端末１０１と外部機器２０１との対応情報も含まれる。
【００７６】
画像形成装置１の上部には原稿搬送部３及び画像読取部４が設けられる。例えば、ユーザーが画像形成装置１にコピージョブ、スキャンジョブを実行させる場合、文字や図形、模様などの画像が描かれた原稿を原稿搬送部３に積載する。制御部２０は原稿搬送部３及び画像読取部４に動作指示を与え、原稿に描かれた画像を読み取らせる。画像読取部４が読み取った原画像の画像データは記憶部２３等に一時的に記憶される。
【００７７】
画像形成装置１の上部であって画像読取部４の正面側には入力部である操作パネル５が設けられる。操作パネル５は表示部５ｗを含む。操作パネル５はユーザーが画像形成装置１にコピー（画像形成）ジョブ、スキャン（画像読取）ジョブ、ファクシミリ送信ジョブを実行させる指令等を受け付ける。操作パネル５は、例えば画像形成に使用する用紙の種類やサイズ、拡大縮小、両面画像形成の有無といった画像形成条件などの設定を受け付けたり、ファクシミリ送信におけるファックス番号や送信者名などの設定の入力を受け付けたりする。さらに、操作パネル５は、例えば装置の状態や注意事項、エラーメッセージなどを表示部５ｗに表示することによって、それらをユーザーに対して報知するための報知部としての役割も果たす。操作パネル５が受け付けた入力情報は制御部２０に送信される。
【００７８】
画像形成装置１は画像読取部４より下方の部分に画像形成ジョブを実行するための給紙部７、用紙搬送部８、画像形成部９、転写部１０及び定着部１１を含む。給紙部７は複数枚の用紙を収容し、画像形成時に用紙を送り出す。用紙搬送部８は給紙部７から送り出された用紙を搬送し、定着後の用紙を装置の外部に排出する。画像形成部９は画像データに基づき照射が制御されたレーザ光によって原稿画像の静電潜像を形成し、この静電潜像にトナーを付着させて現像してトナー像である画像を形成する。転写部１０は画像形成部９で形成したトナー像の画像を用紙に転写する。定着部１１は画像が転写された用紙を加熱、加圧して画像を用紙に定着させる。このような画像形成動作を制御部２０が制御する。
【００７９】
なお、画像形成装置１はプライベート画像形成と称される運転モードを有する。プライベート画像形成では、画像形成装置１に対して遠隔の外部機器２０１から画像形成ジョブを送信した後、ユーザーが画像形成装置１の操作パネル５から認証番号を入力して画像形成を開始させるまで、画像形成ジョブが一時休止されて画像形成が実行されない。
【００８０】
画像形成装置１は通信部２４を備える。通信部２４は外部機器２０１であるコンピューター等との間で、また携帯端末１０１との間でファクシミリ送受信やデータ送受信等といった通信を行う。例えば、通信部２４は携帯端末１０１及び外部機器２０１との間で無線ＬＡＮ（Local Area Network）を利用した無線通信を行う。無線ＬＡＮの規格としては、例えばＷｉ−Ｆｉ（登録商標）が用いられる。
【００８１】
通信部２４は不図示のファクシミリ通信部及びネットワーク通信部を備える。ファクシミリ通信部は電話回線が接続されて、電話回線を利用して外部の通信装置と画像データなどの授受を行う。ネットワーク通信部はネットワーク回線が接続されて、ネットワーク回線を利用して携帯端末１０１や外部機器２０１等と画像データなどの授受を行う。制御部２０が通信部２４に、携帯端末１０１や外部機器２０１等に対するデータの送受信を実行させる。通信部２４は外部機器２０１との間で通信を行って画像形成ジョブを受信する。
【００８２】
画像形成装置１は音声出力部２５を備える。音声出力部２５は例えばスピーカで構成され、操作パネル５の周辺に設けられる。音声出力部２５は外部に向けて報知音及び通信回線モニター音を発する。報知音にはファクシミリ通信を受信したときの呼び出し音（コール音等）が含まれる。通信回線モニター音は通信回線上の音声（先方からの案内音等）が該当する。
【００８３】
携帯端末１０１は、図５に示す制御部１２０及び記憶部１２３を備える。制御部１２０は不図示のＣＰＵ、その他の電子回路や電子部品を含む。制御部１２０は記憶部１２３に記憶された制御用のプログラムやデータに基づき、携帯端末１０１に設けられた各構成要素の動作を制御して携帯端末１０１の機能に係る処理を実行する。
【００８４】
記憶部１２３は認証番号１２３ａを予め記憶する。認証番号１２３ａは、プライベート画像形成において画像形成装置１に画像形成を開始させるときに利用される。認証番号１２３ａはプライベート画像形成の画像形成ジョブに係る情報に含まれ、画像形成を規制する。
【００８５】
また、携帯端末１０１は不図示の入力キー及び表示部を備える。入力キーは文字や数値などの入力、メニューやその他選択肢の選択、処理の実行、キャンセルなどの入力をユーザーが行うためのものである。表示部は例えば液晶ディスプレイなどで構成される。制御部１２０は実行されるプログラムの処理に基づき、表示部にアイコン、メニューなどの画像を表示させる。
【００８６】
携帯端末１０１は通信部１２４を備える。通信部１２４は他の端末との間で通話を行ったり、画像形成装置１及び外部機器２０１との間で互いにデータや指令の送受信を行ったりする。通信部１２４は携帯電話回線網を利用して音声データやパケットを送受信する。さらに、通信部１２４は例えば画像形成装置１及び外部機器２０１との間でＷｉ−Ｆｉを利用した無線ＬＡＮによって無線通信を行う。制御部１２０が通信部１２４に、画像形成装置１や外部機器２０１等に対するデータの送受信を実行させる。
【００８７】
携帯端末１０１は音声入力部１２５を備える。音声入力部１２５は例えばマイクロフォンで構成される。音声入力部１２５はユーザーが発する音声を含む、携帯端末１０１の周囲の音声情報を取得する。
【００８８】
外部機器２０１は、図５に示す制御部２２０及び記憶部２２３を備える。制御部２２０は不図示のＣＰＵ、その他の電子回路や電子部品を含む。制御部２２０は記憶部２２３に記憶された制御用のプログラムやデータに基づき、外部機器２０１に設けられた各構成要素の動作を制御して外部機器２０１の機能に係る処理を実行する。
【００８９】
また、外部機器２０１は不図示の入力装置及び表示部を備える。入力装置は文字や数値などの入力、メニューやその他選択肢の選択、処理の実行、キャンセルなどの入力をユーザーが行うためのキーボード、マウスで構成される。表示部は例えば液晶ディスプレイなどで構成される。
【００９０】
外部機器２０１は通信部２２４を備える。通信部２２４は画像形成装置１、携帯端末１０１及び他のコンピューターとの間で互いにデータや指令の送受信を行う。通信部２２４は例えば画像形成装置１及び携帯端末１０１との間でＷｉ−Ｆｉを利用した無線ＬＡＮによって無線通信を行う。制御部２２０が通信部２２４に、画像形成装置１や携帯端末１０１等に対するデータの送受信を実行させる。外部機器２０１は通信部２２４を介して画像形成装置１に対して画像形成ジョブの送信が可能である。
【００９１】
そして、画像形成装置１は外部機器２０１から受信した画像形成ジョブに係る情報に画像形成を規制するための認証番号１２３ａが含まれる場合、すなわちプライベート画像形成である場合に、画像形成ジョブに係る画像形成を一時休止する。
【００９２】
また、画像形成装置１は携帯端末１０１との無線通信の電波強度から携帯端末１０１との距離を導出する。無線通信の電波強度はＷｉ−Ｆｉの受信信号強度（ＲＳＳＩ：Received Signal Strength Indication）から得ることができる。例えば、画像形成装置１はＷｉ−Ｆｉの受信信号強度と、携帯端末１０１との距離との関係を表すテーブルを予め記憶部２３等に記憶し、このテーブルを参照することで、Ｗｉ−Ｆｉの受信信号強度の強弱から携帯端末１０１との距離を導出することができる。
【００９３】
さらに、画像形成装置１は携帯端末１０１との距離が予め定めた所定距離以下に近づき、且つ当該携帯端末１０１が認証番号１２３ａを所持するときに、プライベート画像形成の画像形成ジョブに係る画像形成を実行する。なお、ここで述べた所定距離とは、例えば画像形成装置１の正面側１ｍ程度の距離であって、記憶部２３等に予め記憶される。
【００９４】
続いて、画像形成システムＳ２によるプライベート画像形成処理の一例について、図６に示すフローに沿って説明する。図６は画像形成システムＳ２のプライベート画像形成処理の例を示すフローチャートである。
【００９５】
画像形成システムＳ２の稼働中において（図６のスタート）、画像形成装置１は例えば外部機器２０１から画像形成ジョブを受信することがある（ステップ＃３０１）。
【００９６】
そして、ステップ＃３０２では、画像形成装置１の制御部２０が外部機器２０１から受信した画像形成ジョブに係る情報に認証番号１２３ａが含まれるか否かを判定する。画像形成ジョブに認証番号１２３ａが含まれない場合はステップ＃３０３に移行する。画像形成ジョブに認証番号１２３ａが含まれる場合はステップ＃３０４に移行する。
【００９７】
ステップ＃３０３では、制御部２０が画像形成部９に画像形成ジョブに係る画像形成を実行させる。そして、制御部２０は画像形成システムＳ２のプライベート画像形成処理を終了する（図６のエンド）。
【００９８】
ステップ＃３０４では、制御部２０が画像形成部９に画像形成ジョブに係る画像形成を一時休止させる。したがって、この時点では、外部機器２０１から受信した画像形成ジョブに係る画像形成が実行されない。
【００９９】
ステップ＃３０５では、制御部２０がＷｉ−Ｆｉの受信信号強度から、予め定めた所定距離（例えば１ｍ）以下の範囲において携帯端末１０１を検知したか否かが判定される。このとき、制御部２０は記憶部２３が予め記憶するＷｉ−Ｆｉの受信信号強度と、携帯端末１０１との距離との関係を表すテーブルを参照する。そして、制御部２０は逐次、Ｗｉ−Ｆｉの受信信号強度から携帯端末１０１との距離を導出し、確認する。画像形成装置１から所定距離以下の範囲における携帯端末１０１の検知は、検知するまで継続される。携帯端末１０１が検知された場合はステップ＃３０６に移行する。
【０１００】
ステップ＃３０６では、制御部２０が、ステップ＃３０５で検知した携帯端末１０１が認証番号１２３ａを所持するか否かを判定する。携帯端末１０１が認証番号１２３ａを所持していない場合はステップ＃３０５に戻って、あらためて画像形成装置１から所定距離以下の範囲における携帯端末１０１の検知が実行される。
【０１０１】
携帯端末１０１が認証番号１２３ａを所持する場合はステップ＃３０３に移行し、制御部２０が画像形成部９に画像形成ジョブに係る画像形成を実行させる。そして、制御部２０は画像形成システムＳ２のプライベート画像形成処理を終了する（図６のエンド）。
【０１０２】
上記第３実施形態のように、画像形成システムＳ２は携帯端末１０１、画像形成装置１及び外部機器２０１を含む。外部機器２０１は携帯端末１０１及び画像形成装置１との通信が可能であるとともに画像形成装置１に対して画像形成ジョブの送信が可能である。画像形成装置１は複数の携帯端末１０１との無線通信が可能である。画像形成装置１は画像形成部９、通信部２４及び記憶部２３を備える。画像形成部９は画像形成を実行する。通信部２４は携帯端末１０１との間で無線通信を行い、さらに外部機器２０１との間で通信を行って画像形成ジョブを受信する。記憶部２３は携帯端末１０１と外部機器２０１との対応情報を記憶する。さらに、画像形成装置１は外部機器２０１から受信した画像形成ジョブに係る情報に画像形成を規制するための認証番号１２３ａが含まれる場合に、画像形成ジョブに係る画像形成を一時休止し、携帯端末１０１との無線通信の電波強度から導出した携帯端末１０１との距離が予め定めた所定距離以下に近づき、且つ当該携帯端末１０１が認証番号１２３ａを所持するときに、画像形成ジョブに係る画像形成を実行する。
【０１０３】
この構成によると、認証番号１２３ａを所持する携帯端末１０１を持ったユーザーが画像形成装置１に接近すると、自動的にプライベート画像形成における画像形成が開始される。したがって、プライベート画像形成において、画像形成装置１の操作パネル５から認証番号１２３ａを入力する必要が無い。その結果、プライベート画像形成の操作性を向上させることが可能になる。
【０１０４】
＜第４実施形態＞
次に、本発明の第４実施形態の画像形成システムについて、図７を用いて説明する。図７は画像形成システムのプライベート画像形成処理の例を示す説明図である。なお、この実施形態の基本的な構成は先に説明した第３実施形態と同じであるので、第３実施形態と共通する構成要素には前と同じ符号または同じ名称を付してその説明を省略する場合がある。
【０１０５】
第４実施形態の画像形成システムＳ２は、携帯端末１０１の記憶部２３が認証番号１２３ａを予め記憶していない。図７に示すように、外部機器２０１は画像形成装置１に対して認証番号１２３ａを含むプライベート画像形成の画像形成ジョブを送信するときに、携帯端末１０１に対して認証番号１２３ａを送信して記憶させる。画像形成装置１に送信された画像形成ジョブに係る画像形成は一時休止され、携帯端末１０１との距離が予め定めた所定距離以下に近づき、且つ当該携帯端末１０１が認証番号１２３ａを所持するときに、画像形成ジョブに係る画像形成が実行される。
【０１０６】
上記第４実施形態の構成によれば、プライベート画像形成を実行するときに自動的に認証番号１２３ａが携帯端末１０１に送信され、記憶されるので、認証番号１２３ａを携帯端末１０１に予め記憶させる手間を省くことができる。したがって、プライベート画像形成の操作性を向上させることが可能になる。
【０１０７】
＜第５実施形態＞
次に、本発明の第５実施形態の画像形成システムについて、図８を用いて説明する。図８は画像形成システムの画像形成装置の構成の一部を示すブロック図である。なお、この実施形態の基本的な構成は先に説明した第３実施形態と同じであるので、第３実施形態と共通する構成要素には前と同じ符号または同じ名称を付してその説明を省略する場合がある。
【０１０８】
第５実施形態の画像形成システムＳ２は、画像形成装置１の記憶部２３が図８に示す携帯端末情報２３ｍを記憶する。携帯端末情報２３ｍは複数の携帯端末１０１各々に係る個別の初期情報として、固有情報２３ｓ及び電波強度２３ｒを含む。
【０１０９】
固有情報２３ｓは画像形成装置１を使用する複数のユーザー各々が所有する携帯端末１０１を特定するための情報である。固有情報２３ｓは、例えばＳＳＩＤ、ＭＡＣアドレス、電話番号などが相当する。
【０１１０】
そして、プライベート画像形成における画像形成を規制するための認証番号が固有情報２３ｓである。記憶部２３は携帯端末１０１と外部機器２０１との対応情報を記憶するので、外部機器２０１からプライベート画像形成の画像形成ジョブを受信したときに、対応する携帯端末１０１の固有情報２３ｓを認証番号として定義する。画像形成装置１に送信された画像形成ジョブは一時休止され、携帯端末１０１との距離が予め定めた所定距離以下に近づき、且つ当該携帯端末１０１が認証番号としての固有情報２３ｓを所持するときに、画像形成ジョブが実行される。
【０１１１】
この第５実施形態の構成によれば、認証番号が携帯端末１０１の固有情報２３ｓであるので、ユーザーが認証番号をどういったものにするか考える手間を省くことができる。したがって、プライベート画像形成の操作性をより一層向上させることが可能になる。
【０１１２】
電波強度２３ｒは画像形成装置１に対して所定距離において予め計測した携帯端末１０１との無線通信の電波強度である。なお、ここで述べた所定距離とは、例えば画像形成装置１の正面側１ｍ程度の距離であって、記憶部２３等に予め記憶される。
【０１１３】
この第５実施形態の構成によれば、携帯端末１０１の固有情報２３ｓと、例えば画像形成装置１の正面側１ｍ程度の距離における携帯端末１０１の電波強度２３ｒとが関連付けされる。したがって、携帯端末１０１が画像形成装置１の面前に近づいたことを、画像形成装置１に認識させ易くすることが可能になる。
【０１１４】
以上、本発明の実施形態につき説明したが、本発明の範囲はこれに限定されるものではなく、発明の主旨を逸脱しない範囲で種々の変更を加えて実施することができる。
【産業上の利用可能性】
【０１１５】
本発明は画像形成装置において利用可能である。
【符号の説明】
【０１１６】
１    画像形成装置
５    操作パネル
９    画像形成部
２０    制御部
２３    記憶部
２３ｃ    距離補正係数（補正係数）
２３ｍ    携帯端末情報
２３ｓ    固有情報
２３ｒ    電波強度
２４    通信部
２５    音声出力部
１０１    携帯端末
１２３    記憶部
１２３ａ    認証番号
１２４    通信部
１２５    音声入力部
２０１    外部機器
２２３    記憶部
２２４    通信部
Ｓ１、Ｓ２    画像形成システム
【図１】
2019036863.tif 000003
【図２】
2019036863.tif 000004
【図３】
2019036863.tif 000005
【図４】
2019036863.tif 000006
【図５】
2019036863.tif 000007
【図６】
2019036863.tif 000008
【図７】
2019036863.tif 000009
【図８】
2019036863.tif 000010